(57)【要約】【課題】  筐体の一部を構成する筐体面を交換することでデザインを簡単に変更することが可能な着せ替え形の携帯電話を提供する。【解決手段】  第１、第２の筐体１００、２００を開いた第１の状態と、前記第１、第２の筐体を閉じた第２の状態とを取り得る折りたたみ可能に構成し、前記第１の筐体と第２の筐体を、第２の状態で隠蔽される内面１０１と、この内面と対向する外面１１１と、前記内面と前記外面の間に形成される周側面１１２とをそれぞれ備えた扁平な箱体で構成し、前記内面と周側面とで一方が解放した主筐体１１０を構成し、前記主筐体１１０に対して、板状の前記外面１１１を取付手段５００を介して着脱可能に構成し、前記取付手段を前記主筐体の周側面に設けるようにする。【選択図】  図１
2005094533.tif 000002
【特許請求の範囲】
【請求項１】
第１の筐体と第２の筐体とを連結部で折りたたみ可能に連結した筐体を有する携帯電話機であって、
前記筐体は、前記第１の筐体と第２の筐体とを開いた第１の状態と、前記第１の筐体と前記第２の筐体とを閉じた第２の状態とを取り得る構成を備え、
前記第１の筐体と第２の筐体は、第２の状態で隠蔽される内面と、この内面と対向する外面と、前記内面と前記外面の間に形成される周側面をそれぞれ備えた扁平な箱形に形成されるとともに、
前記内面と周側面とで一方が解放した主筐体と、板状に形成される外面パネルとからそれぞれ構成され、
前記外面パネルは、取付手段を介して、前記主筐体に着脱可能に構成され、
前記取付手段は、前記主筐体の周側面に設けられている
ことを特徴とする携帯電話機。
【請求項２】
第１の筐体と第２の筐体とを連結部で折りたたみ可能に連結した筐体を有する携帯電話機であって、
前記筐体は、前記第１の筐体と第２の筐体とを開いた第１の状態と、前記第１の筐体と前記第２の筐体とを閉じた第２の状態とを取り得る構成を備え、
前記第１の筐体と第２の筐体は、第２の状態で隠蔽される内面と、この内面と対向する外面と、前記内面と前記外面の間に形成される周側面をそれぞれ備えた扁平な箱体で構成されるとともに、
前記内面と周側面とで一方が解放した主筐体と、板状の外面パネルとからそれぞれ構成され、
前記外面パネルは、取付手段を介して、前記主筐体に着脱可能に構成され、
前記第１の筐体はその内面に主表示部とスピーカ部を備え、
前記第２の筐体はその内面に主操作部とマイク部を備え、
前記周側面にサブ操作部と前記取付手段を備えた
ことを特徴とする携帯電話機。
【発明の詳細な説明】
【技術分野】
【０００１】
本発明は、２つの筐体を連結部を介して折りたたみ可能にする携帯電話に関するものである。
【背景技術】
【０００２】
近年の携帯電話は、２つの筐体を連結部を介して折りたたみ可能に構成した「折りたたみ携帯電話」が主流となっている。そして、これら携帯電話は生活に欠くことのできない持ち物になっている。これにともなって、最近では多様化する使用者のニーズに合わせて、デザインを使用者が選択できるものが提案されている。例えば、棒状の携帯電話機を透明または多様な色のボディカバーで覆う構造としたものや、棒状の携帯電話の前カバーを特殊な工具を使って透明な前カバーに交換可能としたものが提案されている。また、折りたたみ携帯電話では、２つの筐体を着脱可能なコネクタで連結し、一方の筐体を交換可能にしたものが提案されている。
【０００３】
【特許文献１】特開平１０−３２２４２６号公報
【０００４】
【特許文献２】特開平１１−１７７６６１号公報
【特許文献２】特開平１１−２３４３７６号公報
【発明の開示】
【発明が解決しようとする課題】
【０００５】
前記第1の従来例によれば、携帯電話を新たなボディカバーで覆う構造としているため、部品点数が増えるばかりか装置の大型化をまねくことになる。また、前記第２の従来例によれば、筐体自体の一部を交換可能としているため、部品点数は増えることはないが、テンキーや表示部などの制約を受ける前カバーを交換することを前提としているため、交換する前カバーのコストが高くなることが容易に想定される。
【０００６】
また、第３の従来例によれば、取り外す一方の筐体にマイクなどの装置を備えて、この接続を使用者に行わせることを前提としたものであり、コストが高くなり、またこのような装置を備えたものを交換（廃棄）することに疑問が残る。
【０００７】
そこで、この発明では、折りたたみ携帯電話においては、折りたたんだ状態でも露出する筐体面にスイッチ類などが少なく、かつこの筐体の外観のほとんどを占める前記筐体面の変更が大きくデザインを変えることに着目し、筐体の一部を構成する筐体面を交換することでデザインを簡単に変更することが可能な着せ替え形の携帯電話を提供することにある。
【課題を解決するための手段】
【０００８】
本発明では、前記目的を達成するために、第１の筐体と第２の筐体とを連結部で折りたたみ可能に連結した筐体を有する携帯電話機において、折りたたんだ状態で外側を構成する板材の外面部材を交換可能に取り付けるようにする。
【発明の効果】
【０００９】
本発明によれば、折りたたみ携帯電話の背面側の構造部材を交換可能とすることにより、簡単に、しかも拡張性をもって多様な外観に変化させることができる。
【発明を実施するための最良の形態】
【００１０】
以下、本発明に係る携帯電話の実施形態を図１から図１０を参照して詳細に説明する。図１から図４が第１の実施形態を示し、図５から図１０が他の実施形態を示している。この説明においては、同一の部位や機能、矢印などは同一符号を持って示し重複した説明を省略する。
（第１の実施形態）
先ず、図１を参照して、本発明の第1の実施形態に係る携帯電話の概略構造を説明する。図１は第1の実施形態に係る携帯電話の概略構成図である。
【００１１】
図１において、符号１で総括的に示す携帯電話機は、主に表示機能を備えた第１の筐体１００と、主に制御機能や操作機能及びバッテリーを備えた第２の筐体２００と、前記２つの筐体を折りたたみ可能に連結する連結部３００とを含んで構成される。前記第１及び第２の筐体は偏平な外観形状を備え、前記２つの筐体を折りたたんだ状態で互いに重なる大きさを備えている。また、前記２つの筐体は、互いの筐体の長手方向の一端を前記連結部３００を介して連結することで、２つの筐体を開いた状態では細長い形態をとって通話姿勢（以下第1の状態という）に良好な形態となり、２つの筐体を閉じた状態では２つの筐体を折りたたんで携帯性に優れた収納姿勢（以下第２の状態という）を取り得る形態となっている。
【００１２】
この実施形態では、前記第２の状態で隠蔽される第１の筐体１００の内面１０１に主表示部１０２を設け、前記第２の状態で隠蔽される第２の筐体２００の内面２０１にテンキー２０２とファンクションキー２０３からなる主操作部２０６を配置している。また、前記２つの内面の前記連結部３００と対向する端部側には、それぞれスピーカ部１０３とマイク部２０５が配置され、スピーカ部１０３はレシーバーとしての機能も備えている。これにより、前記第１の状態では、前記筐体の長手方向の両端側に前記スピーカ部１０３とマイク部２０５が配置されるので、このスピーカ部１０３とマイク部２０５が使用者の耳と口の長さに合った良好な通話姿勢を得ることができる。
【００１３】
そして、この実施形態の大きな特徴の１つは、前記第１の筐体１００の内面１０１と対向する外面１０４と、前記第２の筐体２００の内面２０１と対向する外面２０４に、多様な仕様で準備されている他の外面パネル１１１、２１１に交換可能とした点である。
【００１４】
即ち、本発明者らは、この種の折りたたみ携帯電話では、収納姿勢である第２の状態が第三者に見られ易い状態であることに着目し、この第２の状態で露出する前記外面１０４と外面２０４とを簡単に交換可能にすることを工夫した。この外面１０４と外面２０４は第１の状態でも第三者に見られ易く、また、この外面１０４と外面２０４は誤操作を軽減するために機能部分が少ないため交換が容易である。
【００１５】
そこで、この実施の形態では、前記外面１０４と外面２０４を簡単に交換するために、第１の筐体１００と第２の筐体２００を、前記外面１０４、２０４側が開放した主筐体１１０、２１０と、前記外面１０４、２０４を構成する外面パネル１１１、２１１とで構成する構造としている。そして、前記主筐体１１０、２１０の内面１０４、２０４に主操作部２０６などを設け、主筐体１１０、２１０の周側面１１２、２１２にサブスイッチ類と、前記外面パネル１１１、２１１を主筐体１１０、２１０に取り付けるための取付手段３５０を備えるようにしている。
【００１６】
このような構造を取るこの実施形態によれば、外面パネル１１１、２１１を筐体の構造体でありながら機能要素が少ない板状とすることができるので、コストを低く抑えることができる。また、前記外面パネル１１１、２１１の取付手段３５０を前記主筐体１１０、２１０の周側面１１２、２１２に設けるので、外面パネル１１１、２１１に、ねじ等のデザインを阻害する制約を無くすことができ、また、内面１０１、２０１でもねじ等のデザインを阻害する制約を無くすことができる。
【００１７】
更には、前記２つの筐体は外面側を開放しているので、この開放部を利用して内部装置を実装し、最後に前記外面パネル１１１、２１１で覆うことができるので、組立性をも向上できる。更に、前記外面パネル１１１、２１１に内側に開放した空間を形成することにより、この空間に、例えば、バッテリや拡張メモリを設けることができるので、大きな設計変更を行うことなく、外面パネル１１１、２１１を交換するだけで拡張することができる。
【００１８】
以下、図２から図４を参照して、この第１の実施形態を更に説明する。
【００１９】
先ず、図２において、この実施の形態では、２つの筐体１００、２００を、樹脂材料で形成する主筐体１１０、２１０と、多様な材料で形成される外面パネル１１１、２１１とで構成する。ここでは、２つの筐体は、同様な構造を備えているので、第１の筐体１００を具体的に説明し、第２の筐体２００は相違点のみ説明する。図２は、この携帯電話１の概略断面図である。
【００２０】
この実施形態では、前記主筐体１１０は、上部が開放した浅い容器のような扁平な箱形の外観を備えている。ここで、この実施の形態では、主筐体１１０を樹脂成型品で構成しているが、この構造であれば、シンプルな外観と構造を採用しているので軽量合金でも十分形成することが可能である。
【００２１】
一方、前記外面パネル１１１は、樹脂材料で形成されるベース部材１１３と外面シート１１４と前記取付手段３５０を構成する取付板３５１とから構成される。この実施形態では、前記板状のベース部材１１３と、この内側に適宜設けられる複数の取付部材３５１とで、前記第１の筐体１００の外観構造体を構成する。そして、前記外面シート１１４を多様な材料、例えば、皮、布、金属などで構成し、この外面シート１１４を前記ベース部材１１３に接着剤などで取り付けるようにしている。この実施の形態では、外面パネル１１１を前記ベース部材１１３と外面シート１１４とで構成したが、１つの材料で形成してもよい。ここで説明しているのは、この外面パネル１１１が、第１の筐体１００の構造体を兼用するため、強度的に問題がある材料を採用する場合は、前記のような２重構造を採用し、強度的に問題ない材料であれば、１つの部材で構成してもよい。
【００２２】
また、前記第１の筐体１００には、最深部に液晶装置１２０が取り付けられ、その次にメイン基板１２１が順次取り付けられ、最後に前記外面パネル１１１が取り付けられるので組立性を向上できる。なお、液晶装置１２０をメイン基板１２１の一方の面に事前に取り付け、これを主筐体１１０に挿入して外面パネル１１１を取り付けるようにしてもよい。
【００２３】
前記取付手段３５０は、前記外面パネル１１１の内側に適宜設けられる前記取付部材３５１と、前記主筐体１１０の内壁面に設けられる前記取付部材３５１の嵌合部３５２と、この嵌合部３５２と前記取付部材３５１とを連結するねじ３５３とから構成される。
【００２４】
この実施の形態では、前記外面パネル１１１が第１の筐体１００の構造体を兼用するために、前記嵌合部３５１には、周側面１１２に形成されるねじ穴を備え、前記２つの部材をねじ３５３を介して確り連結するようにしている。
【００２５】
また、この構造であれば、前記外面パネル１１１の周囲に図示しないパッキンを設けることで、防水構造も取り易い構造である。
【００２６】
なお、この実施形態では、前記メイン基板１２１の外側にサブ液晶装置１２２とカメラ装置１２３を備え、前記外面パネル１１１には、この外面パネル１１１から露出するサブ液晶装置１２２とカメラ装置１２３の開口部１２４を設けている。
【００２７】
一方、前記第２の筐体２００は、前記第１の筐体１００と同様な構造を備えているので、説明を省略する。ここで、前記第２の筐体２００の内部には、最深部（上部）に主操作部２０６のボタンシート２３０、次に、操作基板２３１が設けられている。前記操作基板２３１にバッテリ２３２接続され、更に周側面２１２に隣接する位置に接続端子２１３や各種スイッチ装置が配置される。
【００２８】
この実施形態では、前記したように、操作スイッチ類や各種装置を前記内面２０１やそれを取り囲む周側面２１２に配置している。この実施の形態では、前記配置を実現するために、実装する前記メイン基板１２１や操作基板２３１の周囲に前記内部実装品を配置し、これを周側面１１２、２１２に露出する構造としている。
【００２９】
次に、図３、図４を参照して、前記携帯電話１の外観を更に説明する。図３は第１の状態の外観図であり、図３（ａ）が平面図、図３（ｂ）が底面図、図３（ｃ）が左側面図、図３（ｄ）が正面図、図３（ｅ）が右側面図、図３（ｆ）が背面図である。また、図４が第２の状態の外観図であり、図４（ａ）が平面図、図４（ｂ）が正面図、図４（ｃ）が右側面図である。
【００３０】
先ず、図３と図４において、この実施形態では、第１の筐体１００の内面１０１にスピーカ部１０３と主表示部１０２を備え、両側面の周側面１１２にサブスピーカ部１０３ａを設けている。この実施の形態では、第２の状態で、着信音が聞こえ難いこと、及び、音楽再生時のステレオ効果を得るために両側に一対のサブスピーカ部１０３ａを備えている。また、第１の筐体１００の外面１０４には、サブ表示部１２２ａとカメラ窓１２３ａと一対のフラッシュ１２５を設けている。なお、１２６は赤外線通信窓である。
【００３１】
一方、前記第２の筐体２００の内面２０１には、テンキー２０２とファンクションキー２０３とマイク部２０５を備えている。更に、両側面の周側面２１２には、マナーモードスイッチ２１４と、バッテリ蓋２１５と、モード切替スイッチ２１６、ソフトキー２１７、別体のマイク装置への接続コネクタ２１８とストラップ取付穴２１９を設けている。更に、第２の筐体２００の底面には接続端子２１３を設けている。
【００３２】
ここで、この実施形態では、前記外面パネル２１１の交換に支障をきたさないために、前記バッテリ２３２のバッテリ蓋２１５を前記周側面２１２に設け、バッテリをサイドから着脱する構造としている。
【００３３】
この実施形態では、前記外面パネル１１１に一部装置（サブ表示部１２２ａやカメラ窓１２３ａなど）を設けているものの、他の機能部分を２つの筐体の内面１０１、２０１及び周側面１１２，２１２に集中して配置しているので、前記外面パネル１１１、２１１を着脱し易い構造としている。特に、この実施形態では、前記一部装置（サブ表示部１２２ａやカメラ窓１２３ａなど）を外面パネル１１１の開口部１２４から露出する構造としているので、前記外面パネル１１１を開口部１２４を備えた板状とすることで、交換部品として大きな問題もなく変更することができる。
（その他の実施形態）
次に、図５は、前記第１の実施形態の背面パネル１１１を他の外面パネル４００に交換した携帯電話２を示している。図５は第１の状態の外観図であり、図５（ａ）が平面図、図５（ｂ）が底面図、図５（ｃ）が左側面図、図５（ｄ）が正面図、（ｅ）が右側面図である。
【００３４】
この実施形態に係る携帯電話２はカメラ機能を取り外して板状の外面パネル４００を取り付けている。つまり、この実施形態では、前記第１の実施形態の携帯電話１の周側面１１２に設けたねじ３５３を取り外して、メイン基板１２１をサブ液晶装置１２２やカメラ装置１２３のないものに交換し、更に開口部１２４のない外面パネル４００を取り付けている。したがって、大きな設計変更をともなうことなく、外観を変更することができる。
【００３５】
なお、この携帯電話２の場合、図５（ａ）に示すように、周側面１１２に細いサブ表示部１２２ａを設けることで、胸ポケットなどに入れた際、着信状況などを第１の状態に変化させることなく視認することができる。
【００３６】
次に、図６において、この携帯電話で採用可能な他の外面パネルを更に説明する。図６は、他の外面パネルの一例を示したものである。図６の（ａ）から（ｄ）はそれぞれ外面パネルの他の実施形態の外観を示し、それぞれの図面は正面図と側面図、あるいは必要により平面図をともに図示している。なお、ここで示す外面パネルは、図１または図５に示す携帯電話１または５のそれぞれの外面パネルと交換した図面については省略している。
【００３７】
先ず、図６（ａ）に示す画面パネル４１０は、前記外面パネル１１１、２１１と交換可能である。この外面パネル４１０は、その表面に木目模様を施している。
【００３８】
また、図６（ｂ）に示す外面パネル４２０は、第１の筐体１００の外面パネル１１１と交換可能である。この外面パネル４２０は長手方向の一端側にシャッタ窓を備えたカメラ機能部を備え、他の片側に布模様を施したものである。なお、この外面パネル４２０は、長手方向のどちら側が連結部３００側でもよい。
【００３９】
また、図６（ｃ）に示す外面パネル４３０は第２の筐体２００の外面パネル２１１と交換可能である。この外面パネル４３０は、内部に拡張バッテリの収納空間を有している。この外面パネル４３０を使用することにより、前記図５に示す携帯電話５のバッテリ容量を飛躍的に伸ばすことが容易である。なお、この外面パネル４３０を携帯電話５に取り付ける場合、図面上方を連結部３００側にとして取り付ける。
【００４０】
また、図６（ｄ）に示す外面パネル４４０は図６（ｃ）と同様に内部に空間を形成し、この空間に拡張メモリ装置を収納可能とするものである。この外面パネル４４０は、側面に記録媒体の挿入口４４１を備えている。なお、この外面パネル４３０を携帯電話５に取り付ける場合、図面上方を連結部３００側にとして取り付ける。
【００４１】
次に、図７から図１０には、２つの前記外面パネル１１１、２１１を連続する部材で構成した実施形態を示したものである。図７は、この携帯電話７の概略構造図を示している。図８は外面パネル５００の外観図であり、図８（ａ）が厚い皮材料で構成した実施の形態、図８（ｂ）が厚いフェルト材料で構成したものである。なお、図８の各実施の形態は、正面図と側面図を示している。図９は、第１の状態の携帯電話７の外観図で、図９（ａ）が平面図、図９（ｂ）が底面図、図９（ｃ）が左側面図、図９（ｄ）が正面図、図９（ｅ）が右側面図、図９（ｆ）は背面図である。図１０は第２の状態の携帯電話７の外観図であり、図１０（ａ）は平面図、図１０（ｂ）が正面図、図１０（ｃ）が右側面図である。なお、図９、図１０は、図８（ａ）に示す外面パネルを携帯電話に取り付けたものを示し、図８（ｂ）に示す外面パネルを取り付けたものは省略する。また、前記第１の実施形態と同一の部材は同一符号をもって示している。
【００４２】
図７、図８において、この実施形態では、外面パネル５００を、一対のベース部材１１３と、帯状の外面シート５０１とから構成する。前記ベース部材１１３は、前記第１の実施形態と同様に、板状の一方に取付部材３５１を適宜設けたものである。一方、前記外面シート５０１は、例えば、図８（ａ）に示す厚い皮材料で形成したり、あるいは、図８（ｂ）に示すフェルト材料で形成したものである。この他、多様な材料で形成してもよい。ただ、この外面シート５１０は中央で折り曲げる必要があるので、この点を考慮した材料であれば、ゴム材料や金属材料でもよい。
【００４３】
前記一対のベース部材１１３と前記外面シート５０１は接着剤や他の固定手段で連結される。そして、この外面パネル５００は、図７に示すように、前記取付部材３５１と前記嵌合部３５２とをねじ３５３を介して主筐体１１０、２１０に取り付けることができる。
【００４４】
このような構造を備えた携帯電話７によれば、図９、図１０に示すように、第１の状態では、第１の実施の形態と同様な取り扱いで使用することができる。一方、第２の状態では、前記連結部３００が一枚の外面パネル５００で隠蔽されるので、皮の手帳のような外観を備えた携帯電話７に変身させることができる。
【００４５】
このように、この実施形態では、折りたたみ携帯電話の背面側の構造部材を交換可能とすることにより、簡単に、しかも拡張性をもって多様な外観に変化させることができる。
【００４６】
なお、この実施形態では、サブ液晶装置１２２やカメラ装置１２３を外した構成としているが、サブ液晶装置１２２やカメラ装置１２３を、一枚の外面パネル５００から露出するように設けた構造としてもよい。
【産業上の利用可能性】
【００４７】
本発明は、携帯性を備えた電子機器に応用可能である。
【図面の簡単な説明】
【００４８】
【図１】第1の実施形態に係る携帯電話の概略構成図である。
【図２】第1の実施形態に係る携帯電話の概略断面図である。
【図３】第1の実施形態に係る携帯電話の外観図である。
【図４】第1の実施形態に係る携帯電話の外観図である。
【図５】他の実施形態に係る携帯電話の外観図である。
【図６】他の実施形態に係る携帯電話の外面パネルの外観図である。
【図７】他の実施形態に係る携帯電話の概略構成図である。
【図８】他の実施形態に係る携帯電話の外面パネルの外観図である。
【図９】他の実施形態に係る携帯電話の外観図である。
【図１０】他の実施形態に係る携帯電話の外観図である。
【符号の説明】
【００４９】
１…携帯電話機、１００…第１の筐体、１０１…内面、１０２…主表示部、１０３…スピーカ部、１０４…外面、１１０…主筐体、１１１…外面パネル、１１２…周側面、１１３…ベース部材、１１４…外面シート、１２０…液晶装置、１２１…メイン基板、１２２…サブ液晶装置、１２２ａ…サブ表示部、１２３…カメラ装置、１２３ａ…カメラ窓、１２４…開口部、１２５…フラッシュ、１２６…フラッシュ、２００…第２の筐体、２０１…内面、２０２…テンキー、２０３…ファンクションキー、２０４…外面、２０５…マイク部、２０６…主操作部、２１０…主筐体、２１１…外面パネル、２１２…周側面、２３０…ボタンシート、２３１…操作基板、２３２…バッテリ、２１３…接続端子、３００…連結部、３５０…取付手段、３５１…取付部材、３５２…嵌合部、３５３…ねじ、４００…外面パネル、４１０…外面パネル、４２０…外面パネル、４３０…外面パネル、４４０…外面パネル、４４１…挿入口、５００…外面パネル、５０１…外面シート。
【図１】
2005094533.tif 000003
【図２】
2005094533.tif 000004
【図３】
2005094533.tif 000005
【図４】
2005094533.tif 000006
【図５】
2005094533.tif 000007
【図７】
2005094533.tif 000008
【図８】
2005094533.tif 000009
【図９】
2005094533.tif 000010
【図１０】
2005094533.tif 000011
【図６】
2005094533.tif 000012